(57)【要約】【課題】  ＰＬＬ（Ｐｈａｓｅ  Ｌｏｃｋｅｄ  Ｌｏｏｐ）のチャージポンプ回路でアイドルパスを間欠的に有効化することで省電力化を図る場合に、制御の誤動作の起こる可能性が高いロックイン過程において、アイドルパス制御の抑制を行うこと。【解決手段】  ＰＬＬがロックされてロック検出器８の出力ｉが正論理の時に限り、アイドルパスの制御を行う。基準発振器１と周波数可変発振器２を分周するカウンタ９、１０にパルス幅の制御回路１１、１２を付加し、ラスター信号ｃとローカル信号ｄのパルス幅をチャージポンプの電流源の起動に充分な長さに設定する。これら２信号とロック検出器８の反転出力の論理和をとることでアイドルパス有効化信号ｈを作る。【選択図】        図２
2006054559.tif 000002
【特許請求の範囲】
【請求項１】
電荷を放出する電流ソースと、
電荷を吸い込む電流シンクと、
上記電流ソースと外部端子とを電気的に接続する電荷放出用出力パスと、
上記電流シンクと外部端子とを電気的に接続する電荷吸引用出力パスと、
上記電荷放出用出力パス及び上記電荷吸引用出力パスと異なるパスとして設けられ、上記電流ソースと上記電流シンクとを電気的に接続するアイドルパスと、
上記電荷放出用出力パスの途中に設けられ、電荷放出を要求する電荷放出要求信号の入力に応じて上記電荷放出用出力パスを切断状態から接続状態に切り替える第１スイッチと、
上記電荷吸引用出力パスの途中に設けられ、電荷吸引を要求する電荷吸引要求信号の入力に応じて上記電荷吸引用出力パスを切断状態から接続状態に切り替える第２スイッチと、
上記電荷放出要求信号又は上記電荷吸引要求信号が上記第１又は第２スイッチに入力される前に入力されるアイドルパス有効化信号に応じて、上記アイドルパスを切断状態から接続状態に切り替える第３スイッチを備えることを特徴とするチャージポンプ回路。
【請求項２】
上記チャージポンプ回路は、
アイドルパスに接続するアース線を備え、
上記第３スイッチとして、電流ソースとアース線の間に配置された電流ソース用スイッチと、電流シンクとアース線との間に配置された電流シンク用スイッチとを備え、
上記第１スイッチが接続状態であり、上記電流ソース用スイッチが切断状態であるときに、上記電流ソースから外部端子に電荷が放出され、
上記第２スイッチが接続状態であり、上記電流シンク用スイッチが切断状態であるときに、外部端子から上記電流シンクに電荷が吸引されることを特徴とする請求項１に記載のチャージポンプ回路。
【請求項３】
基準発振器と、
周波数可変発振器と、
上記基準発振器の出力信号から得られるラスター信号と周波数可変発振器の出力信号から得られるローカル信号の位相比較を行う位相周波数検出器と、
電荷を放出する電流ソースと、電荷を吸い込む電流シンクと、上記電流ソースと外部端子とを電気的に接続する電荷放出用出力パスと、上記電流シンクと外部端子とを電気的に接続する電荷吸引用出力パスと、上記電荷放出用出力パス及び上記電荷吸引用出力パスと異なるパスとして設けられ、上記電流ソースと上記電流シンクとを電気的に接続するアイドルパスとを備え、位相周波数検出器において検出されるラスター信号の立ち上がり及びローカル信号の立ち上がりのいずれか早い方からラスター信号の立ち下がり及びローカル信号の立ち下がりのいずれか遅い方までの間アイドルパスを切断状態から接続状態にするためのアイドルパス有効化信号を入力し、ラスター信号及びローカル信号のうちのいずれか早い方の立ち下がりからラスター信号及びローカル信号のうちのいずれか遅い方の立ち下りまでの間電荷放出用出力パスを切断状態から接続状態にするための電荷放出要求信号及び電荷吸引用出力パスを切断状態から接続状態にするための電荷吸引要求信号の少なくともいずれかを入力するチャージポンプ回路とを備えることを特徴とするＰＬＬ（Ｐｈａｓｅ  Ｌｏｃｋｅｄ  Ｌｏｏｐ）回路。
【請求項４】
ラスター信号の立ち上がり時刻とローカル信号の立ち上がり時刻との差又はラスター信号の立ち下がり時刻とローカル信号の立ち下がり時刻との差が、位相比較周期よりも小さな所定の値であることを検出するロック検出器を備え、
このロック検出器のロック検出前は、アイドルパス有効化信号を出力し続けることを特徴とする請求項３記載のＰＬＬ回路。
【発明の詳細な説明】
【技術分野】
【０００１】
本発明は、例えば、アイドルパスを持つチャージポンプを備えたＰＬＬ（Ｐｈａｓｅ  Ｌｏｃｋｅｄ  Ｌｏｏｐ）回路に関する。
【背景技術】
【０００２】
従来技術におけるＰＬＬ回路の一般的な構成として図１０に示すようなものがある。分周器３で基準発信器１の出力ａを分周してラスター信号ｃをつくり、分周器４で周波数可変発振器２の出力ｂを分周してローカル信号ｄをつくる。位相周波数検出器５においてラスター信号ｃとローカル信号ｄの位相差を検出し、チャージポンプ６は位相差に比例した電荷を出力する。この出力電荷をループフィルタ７で周波数制御信号に変換し、周波数可変発振器２が制御される。またロック検出器８は位相周波数検出器の出力を利用してＰＬＬのロック状態を検出する。
【０００３】
位相周波数検出器はラスター信号ｃとローカル信号ｄのエッジで動作し、両信号の位相差に応じてアップ信号ｅまたはダウン信号ｆを出力する。チャージポンプはアップ信号ｅの継続する間、ｇよりソース電流を出力してループフィルタ７に電荷を注入し、ダウン信号ｆの継続する間、負の値を持つシンク電流を出力してループフィルタから電荷を引き抜く。
【０００４】
チャージポンプの構成は一般に図１１のようなものである（例えばＪＳＳＣ  Ｖｏｌ．３３（１２）１９９８  ｐｐ２０５４−２０６５参照）。位相差が小さな状態においても正確に位相差に比例した電荷を出力するためにアイドルパスを設けてソース電流、シンク電流の電流源１２０、１３０が常に起動した状態にしておき、図１２のようにアップ信号ｅとダウン信号ｆに応じて電流経路を切り換えて出力電流を得る。この構成においてはアップ信号、ダウン信号が共に負論理となる待機状態において、アイドルパスを経由した捨て電流が生じることになる。実際にはシンセサイザがロックされた状態においてアップ信号またはダウン信号の継続する時間はラスター信号ｃの周期（位相比較周期）に比較して非常に短い時間であるため、待機状態の占める時間的割合は高い。
【０００５】
特表２００３−５２７０２４号公報に開示された技術では、このアイドルパスによる捨て電流を低減するため、アップ信号またはダウン信号が立ちあがる少し前にアイドルパスを開いて電流源を起動し、両信号が下がったところでアイドルパスを閉じるという制御が提案されている。
【０００６】
図１３は特表２００３−５２７０２４号公報に開示されたアイドルパス無効化機能つきチャージポンプである。アイドルパス有効化信号ｈとアップ信号、ダウン信号の入力状態により、３点スイッチによってソースまたはシンク電流源の接続先を解放（スイッチが図中のＡの位置にある場合）、チャージポンプ出力（スイッチが図中のＢの位置にある場合）、アイドルパス（スイッチが図中のＣの位置にある場合）の３通りに切り換えることができる。
【０００７】
アイドルパス有効化信号ｈの実現手段として特表２００３−５２７０２４号公報ではダウンカウンタ分周器またはジッパ分周器を用いるものを提案している。位相周波数検出器において検出されるラスター信号またはローカル信号のエッジに対し、手前と直後で立ち上がる２つの信号をつくり、エッジ手前の信号でセット、エッジ直後の信号でリセットされるフリップフロップの出力をアイドルパス有効化信号としている。
【特許文献１】特表２００３−５２７０２４号公報
【非特許文献１】ＩＥＥＥ  Ｊｏｕｒｎａｌ  ｏｆ  Ｓｏｌｉｄ−Ｓｔａｔｅ  Ｃｉｒｃｕｉｔｓ  Ｖｏｌ．３３（１２）１９９８  ｐｐ２０５４−２０６５、Ｊ．Ｃｒａｎｉｎｃｋｘ  ＆  Ｍ．Ｓ．Ｊ．Ｓｔｅｙａｅｒｔ、“Ａ  Ｆｕｌｌｙ  Ｉｎｔｅｇｒａｔｅｄ  ＣＭＯＳ  ＤＣＳ−１８００  Ｆｒｅｑｕｅｎｃｙ  Ｓｙｎｔｈｅｓｉｚｅｒ”
【発明の開示】
【発明が解決しようとする課題】
【０００８】
上記の従来技術においてはチャージポンプのアイドルパス無効化を実現する方法として図１３のような三点スイッチによる電流経路の切り替えを行っており、アイドルパス有効化信号ｈが負論理のときにはアップ信号ｅ及びダウン信号ｆの状態によらず電流経路が絶たれてチャージポンプとしての機能を失う。従ってアイドルパス有効化信号が何らかの想定外の動作（後述）をした場合にはＰＬＬが動作不良に陥る場合がありうる。
【０００９】
また、従来のアイドルパス制御ではラスター信号とローカル信号との位相差が小さくなっていることが前提となっており、ＰＬＬのロックアップの過程において位相差が大きい場合には想定外の制御信号を出力する可能性がある。従ってアイドルパス制御がロックアップ時間を遅延させる原因になりうる。特に図１３のような三点スイッチを用いた構成のチャージポンプではアイドルパスが無効化されるとチャージポンプとしての機能を失うのでこのような可能性が高い。
【００１０】
更に、従来技術においては、チャージポンプのアイドルパス制御回路としてＰＬＬに既存の回路とは別に独立した順序回路を必要とするので、初期状態に依存した想定外動作の可能性もある。これもロックアップ時間延長の原因となりうる。
【００１１】
以上より本発明では以下の三点を主な目的とする。
【００１２】
第一に、チャージポンプのアイドルパス無効化の実現方法においてアイドルパスが無効化された場合でもチャージポンプとしての最低限の動作を保証し、ＰＬＬの動作の堅牢性を高めることを目的とする。
【００１３】
第二に、特に制御の誤動作の起こる可能性が高いロックイン過程において、アイドルパス制御の抑制を行うことを目的とする。
【００１４】
第三に、アイドルパス制御の実現及びロックイン過程におけるアイドルパス制御の抑制を独立した順序回路を必要とせずに従来技術に既存の回路に簡単な組み合わせ回路を付加することによって実現し、初期状態への依存性を減少することを目的とする。
【課題を解決するための手段】
【００１５】
本発明に係るチャージポンプ回路は、
電荷を放出する電流ソースと、
電荷を吸い込む電流シンクと、
上記電流ソースと外部端子とを電気的に接続する電荷放出用出力パスと、
上記電流シンクと外部端子とを電気的に接続する電荷吸引用出力パスと、
上記電荷放出用出力パス及び上記電荷吸引用出力パスと異なるパスとして設けられ、上記電流ソースと上記電流シンクとを電気的に接続するアイドルパスと、
上記電荷放出用出力パスの途中に設けられ、電荷放出を要求する電荷放出要求信号の入力に応じて上記電荷放出用出力パスを切断状態から接続状態に切り替える第１スイッチと、
上記電荷吸引用出力パスの途中に設けられ、電荷吸引を要求する電荷吸引要求信号の入力に応じて上記電荷吸引用出力パスを切断状態から接続状態に切り替える第２スイッチと、
上記電荷放出要求信号又は上記電荷吸引要求信号が上記第１又は第２スイッチに入力される前に入力されるアイドルパス有効化信号に応じて、上記アイドルパスを切断状態から接続状態に切り替える第３スイッチを備えることを特徴とする。
【発明の効果】
【００１６】
本発明によれば、チャージポンプ回路のアイドルパスが無効化された場合でもチャージポンプ回路としての最低限の動作を保証し、ＰＬＬの動作の堅牢性を高めることが可能になる。
【発明を実施するための最良の形態】
【００１７】
実施の形態１．
図１は、本実施の形態に係る、アイドルパスを無効化する機能をもつチャージポンプの回路例である。図１１に示した従来回路においてアイドルパス有効化信号ｈが負論理の時、アイドルパスのスイッチ（トランスミッションゲート）１５、１６の入力信号を負論理に固定することによってアイドルパス３０を閉じるものである。アイドルパス有効化信号ｈが正論理の時はスイッチ１５、１６はそれぞれアップ信号ｅ、ダウン信号ｆの反転信号によって開閉される。ここで、ソース電流源１２は、電荷を放出する電流ソースであり、シンク電流源１３は、電荷を吸い込む電流シンクである。また、ソース電流源から出力線４１（外部端子）に至る出力パス４０は、電荷放出用出力パスに相当し、シンク電流源１３から出力線４１（外部端子）に至る出力パス４０は、電荷吸引用出力パスに相当する。また、アイドルパス３０は、電荷放出用出力パス及び電荷吸引用出力パスと異なるパスとして設けられ、ソース電流源とシンク電流源とを電気的に接続する。スイッチ１６は、電荷放出用出力パスの途中に設けられ、電荷放出を要求するアップ信号（電荷放出要求信号）の入力に応じて電荷放出用出力パスを切断状態から接続状態に切り替え、第１スイッチに相当する。また、スイッチ１７は、電荷吸引用出力パスの途中に設けられ、電荷吸引を要求するダウン信号（電荷吸引要求信号）の入力に応じて電荷吸引用出力パスを切断状態から接続状態に切り替え、第２スイッチに相当する。また、スイッチ１４及びスイッチ１５は、アップ信号又はダウン信号がスイッチ１４又はスイッチ１５に入力される前に入力されるアイドルパス有効化信号に応じて、アイドルパス３０を切断状態から接続状態に切り替え、第３スイッチに相当する。また、スイッチ１４は、ソース電流源とアース線３１の間に配置され、電流ソース用スイッチに相当し、スイッチ１５は、シンク電流源とアース線３１の間に配置され、電流シンク用スイッチに相当する。
【００１８】
図６は、図１に示すスイッチ１４の動作例を示す図である。スイッチ１４は、アイドルパスの有効化のためのアイドルパス有効化信号ｈがオン（Ｈ）のときに、アップ信号ｅがオン（Ｈ）であれば開状態になり、アップ信号ｅがオフ（Ｌ）であれば閉状態になり、アイドルパス有効化信号ｈがオフ（Ｌ）のときにアップ信号ｅ及びダウン信号ｆのオン・オフにかかわらず開状態になって、アイドルパスの制御を行う。
【００１９】
図７は、図１に示すスイッチ１５の動作例を示す図である。スイッチ１５は、アイドルパス有効化信号ｈがオン（Ｈ）のときにダウン信号ｆがオン（Ｈ）であれば開状態になり、ダウン信号ｆがオフ（Ｌ）であれば閉状態になり、アイドルパス有効化信号ｈがオフ（Ｌ）のときにアップ信号ｅ及びダウン信号ｆのオン・オフにかかわらず開状態になって、アイドルパスの制御を行う。
【００２０】
図８は、図１に示すスイッチ１６の動作例を示す図である。スイッチ１６は、アイドルパス有効化信号ｈのオン・オフにかかわらず、アップ信号ｅがオン（Ｈ）のときに閉状態になり、アップ信号ｅがオフ（Ｌ）のときに開状態になって、出力パスの制御を行う。
【００２１】
図９は、図１に示すスイッチ１７の動作例を示す図である。スイッチ１７は、アイドルパス有効化信号ｈのオン・オフにかかわらず、ダウン信号ｆがオン（Ｈ）のときに閉状態になり、ダウン信号ｆがオフ（Ｌ）のときに開状態になって、出力パスの制御を行う。
【００２２】
これらスイッチ１４〜スイッチ１７の機能により、図２に示す動作が行われる。
【００２３】
具体的には、スイッチ１４及びスイッチ１５は、アイドルパス有効化信号ｈがオフ（Ｌ）のときに、それぞれが開状態になってアイドルパスを無効化し、アイドルパス有効化信号ｈがオン（Ｈ）であってアップ信号ｅ及びダウン信号ｆがともにオフ（Ｌ）のときに、それぞれが閉状態になりアイドルパスを有効化する。
【００２４】
また、スイッチ１６及びスイッチ１７は、アップ信号ｅがオン（Ｈ）でありダウン信号ｆがオフ（Ｌ）のときに、スイッチ１６が閉状態になりスイッチ１７が開状態になってソース電流源１２０と出力線４１とを導通し、ソース電流源１２０から出力線４１に電荷が放出される。アップ信号ｅがオフ（Ｌ）でありダウン信号ｆがオン（Ｈ）のときに、スイッチ１６が開状態になりスイッチ１７が閉状態になってシンク電流源１３０と出力線４１とを導通し、出力線４１からシンク電流源１３０に電荷が吸引される。
【００２５】
スイッチ１４及びスイッチ１５は、アイドルパス有効化信号ｈがオン（Ｈ）でありアップ信号ｅがオン（Ｈ）でありダウン信号ｆがオフ（Ｌ）のときに、スイッチ１４が開状態になり、スイッチ１５が閉状態になって、シンク電流源１３０とアース線３１とを導通する。
【００２６】
また、スイッチ１４及びスイッチ１５は、アイドルパス有効化信号ｈがオン（Ｈ）でありアップ信号ｅがオフ（Ｌ）でありダウン信号ｆがオン（Ｈ）のときに、スイッチ１４が閉状態になり、スイッチ１５が開状態になって、ソース電流源１２０とアース線３１とを導通する。
【００２７】
また、スイッチ１４及びスイッチ１５は、アップ信号ｅ及びダウン信号ｆがともにオン（Ｈ）であるときに、スイッチ１４及びスイッチ１５がともに閉状態になって、ソース電流源１２０とシンク電流源１３０とを導通する。
【００２８】
このように、本実施の形態に係るチャージポンプ回路は、ソース電流源とシンク電流源が切断されている状態でアイドルパス有効化信号が入力されると、アイドルパスが有効化されてアイドル状態になり、アイドル状態の間に、アップ信号及びダウン信号の少なくともいずれかが入力されると、ソース電流源から電流が流れ出し、シンク電流源に電流が流れ込み、また、ソース電流源とシンク電流源が切断されている状態でアイドルパス有効化信号が入力されない場合に、アップ信号が入力されるとソース電流源から電流が流れ出し、ダウン信号が入力されるとシンク電流源に電流が流れ込む。
【００２９】
このように、本実施の形態に係るチャージポンプ回路は、アップ信号、ダウン信号、アイドルパス有効化信号でチャージポンプの各スイッチを直接制御しており、特表２００３−５２７０２４号公報に示されている制御回路２０を必要とせず、従って本実施の形態に係るチャージポンプ回路は故障しにくい。
【００３０】
また、本実施の形態に係るチャージポンプ回路は、アイドルパスに接続するアース線を有し、ソース電流源とアース線の間に電流ソース用スイッチを備え、シンク電流源とアース線との間に電流シンク用スイッチとを備え、ソース電流源から外部に電流を出力する際に、電流ソース用スイッチを切断し、外部からシンク電流源に電流が流れ込む際に、電流シンク用スイッチを切断する。このため、ソース電流源からの出力を効率よくチャージポンプ外に出力することができ、また、シンク電流源に効率よく電流を流れ込ませることができる。
【００３１】
このように、特表２００３−５２７０２４号公報に示されている三点スイッチによる構成と比較して、トランスミッションゲートの入力信号に変更を加えるだけなので図１１のような既存回路からの変更が容易である。
【００３２】
図３はアイドルパス有効化信号ｈを実現するアイドルパス制御回路の例を示す図である。基準発振器を周波数可変発振器を分周するカウンター９、１０には必要に応じてパルス幅の制御回路１１、１２を付加し、ラスター信号ｃとローカル信号ｄのパルス幅をチャージポンプの電流源１２０、１３０の起動に充分な長さに設定する。これら２信号とロック検出器の反転出力の論理和をとることでアイドルパス有効化信号ｈを作る。カウンター出力パルス幅の制御については、カウンターの各ビットを入力とする組み合わせ回路により基準発振器１または周波数可変発振器２の周期を単位として離散的に変化させることができる。簡単な例として、ｍビット下降カウンターから２ｎ周期のパルス幅をもつ分周器を実現するには上位ｍ−ｎビットの論理和を取って分周器出力とすればよい。
【００３３】
図４及び図５に各信号の動作タイミングを示す。図４は、ＰＬＬロック時の動作タイミングを示し、図５はアンロック時の動作タイミングを示す。ここでは位相周波数検出器５がラスター信号ｃとローカル信号ｄの下がりエッジで位相比較をするものとする（逆であれば反転器を挿入すればよい）。ＰＬＬのロック状態でロック検出器出力ｉは正論理を示すので、アイドルパス有効化信号ｈはラスター信号ｃとローカル信号ｄの論理和に過ぎない。図４から明らかなようにアイドルパス有効化信号ｈは位相比較の瞬間に対して設定された時間幅だけ先行して立ち上がり、位相比較終了後に速やかに立ち下がる。従ってアイドルパス有効化信号としての要件を満たす。
【００３４】
図５に示すように、ＰＬＬのロックが外れた状態で位相差が大きい場合にはロック検出器出力ｉが負論理なのでアイドルパス有効化信号ｈは正論理となる（つまり、ロック検出器から出力された出力信号を反転させた信号と、ラスター信号と、ローカル信号との論理和によりアイドルパス有効化信号を生成する）。このため、チャージポンプは従来回路（図１１）と同様の動作をする。実使用上、ロックインの過程はロック状態に比べて非常に短いのでこれによる消費電力の増加は大きな影響を与えない。
【００３５】
本実施の形態では、チャージポンプのアイドルパス無効化時にチャージポンプとしての動作を保証する手段として、図１１のような構成の回路の制御信号を変更して用いている。アイドルパス無効化の際にはアイドルパス側スイッチ１４、１５への入力信号をスイッチが解放となるように固定し、出力パス側のスイッチ１６、１７には影響がないような制御を行う。具体的には図１１において入力信号と各スイッチの開閉が図２の表のような関係を満たすものとする。これにより、アイドルパスが無効化されているとき、出力電流の立ち上がり特性は劣化するもののチャージポンプとしての基本的な機能を持つことができる。
【００３６】
また、ロックアップ過程におけるアイドルパス制御信号の抑制にはロック検出器８の出力ｉを利用する。ＰＬＬがロックされてロック検出器の出力ｉが正論理のときに限り、アイドルパスの制御を行う。
【００３７】
また、アイドルパス有効化信号ｈは基準発振器１と周波数可変発振器２の分周器３、４に組み合わせ回路を付加することによって生成する。
【００３８】
順序回路ではなく、組み合せ回路を用いてアイドルパス有効化信号を生成することにより、アップ信号又はダウン信号を出力する際に確実にチャージポンプをアイドル状態にしておくことができる。つまり、図４に示すように、ラスター信号及びローカル信号のいずれか早い方の立ち上がりの時に、アイドルパス有効化信号がチャージポンプ回路に入力されはじめ、ラスター信号及びローカル信号のいずれか遅い方の立ち下がりの時に、チャージポンプ回路へのアイドルパス有効化信号の入力が終了する。一方、アップ信号又はダウン信号の出力タイミングは、ラスター信号又はローカル信号のうち先の立ち下がりから後の立ち下がりまでの間である。従って、アップ信号又はダウン信号の出力の際に、確実にアイドル状態にしておくことができる。このため、故障しにくいチャージポンプ回路を実現することができる。一方、特表２００３−５２７０２４号公報に記載の技術では、アップ信号又はダウン信号を出力する前にチャージポンプを確実にアイドル状態にするために、クロックが立ち下がってから僅かの間に起動信号（アイドルパス有効化信号）を立ち上げ、その起動信号を、次のクロックの立ち下がりの時に立ち下げるようにすることによって、起動信号を少なくとも１クロック以上の長さ立ち上げておくことによって、アップ信号又はダウン信号を出力する際にチャージポンプを確実にアイドル状態にするものであるが、順序回路（フリップフロップ）を用いている（特表２００３−５２７０２４号公報の図４）。本実施の形態によれば、順序回路を不要とすることができ、初期状態への依存性を減少することが可能となる。
【００３９】
以上より、本実施の形態によれば、チャージポンプのアイドルパス無効化の実現方法においてアイドルパスが無効化された場合でもチャージポンプとしての最低限の動作を保証し、ＰＬＬの動作の堅牢性を高めることができる。また、特に制御の誤動作の起こる可能性が高いロックイン過程において、アイドルパス制御の抑制を行うことが可能である。更に、アイドルパス制御の実現及びロックイン過程におけるアイドルパス制御の抑制を独立した順序回路を必要とせずに従来技術に既存の回路に簡単な組み合わせ回路を付加することによって実現し、初期状態への依存性を減少することが可能となる。
【００４０】
ここで、本実施の形態で説明したチャージポンプ回路の特徴を以下にて示す。
【００４１】
本実施の形態に係るチャージポンプ回路は、アイドルパス無効化機能つきチャージポンプにおいてアイドルパスが無効化された状態においてもチャージポンプとしての機能は保持させることを特徴とする。
【００４２】
また、本実施の形態に係るチャージポンプ回路は、従来技術におけるチャージポンプ回路に対してアイドルパスのスイッチへの入力信号を変更することによりアイドルパスの無効化機能を持たせたことを特徴とする。
【００４３】
また、本実施の形態に係るチャージポンプ回路は、分周器として下降カウンターを擁し付加回路によりラスター信号とローカル信号のパルス幅を調整することを特徴とする。
【００４４】
また、本実施の形態に係るチャージポンプ回路は、ラスター信号とローカル信号の論理和を取ることによりアイドルパス制御信号を作ることを特徴とする。
【００４５】
また、本実施の形態に係るチャージポンプ回路は、ＰＬＬロックアップ過程においてはアイドルパス制御信号を抑制する制御を行うことを特徴とする。
【００４６】
また、本実施の形態に係るチャージポンプ回路は、ラスター信号とローカル信号、及びロック検出器の反転出力の３項の論理和を取ったアイドルパス制御信号を用いることを特徴とする。
【図面の簡単な説明】
【００４７】
【図１】実施の形態１に係るチャージポンプ回路の例を示す図。
【図２】実施の形態１に係るチャージポンプ回路の制御信号と電流回路を示す図。
【図３】実施の形態１に係るアイドルパス制御回路の例を示す図。
【図４】実施の形態１に係るアイドルパス制御回路のタイミング例を示す図。
【図５】実施の形態１に係るアイドルパス制御回路のタイミング例を示す図。
【図６】実施の形態１に係るチャージポンプ回路のスイッチの動作例を示す図。
【図７】実施の形態１に係るチャージポンプ回路のスイッチの動作例を示す図。
【図８】実施の形態１に係るチャージポンプ回路のスイッチの動作例を示す図。
【図９】実施の形態１に係るチャージポンプ回路のスイッチの動作例を示す図。
【図１０】従来のＰＬＬ構成を示す図。
【図１１】従来のチャージポンプ回路を示す図。
【図１２】従来のチャージポンプの制御信号と電流回路を示す図。
【図１３】従来のチャージポンプ回路を示す図。
【符号の説明】
【００４８】
１  基準発振器、２  周波数可変発振器、３  分周器（ラスター）、４  分周器（ローカル）、５  位相周波数検出器、６  チャージポンプ、７  ループフィルタ、８  ロック検出器、９  下降カウンター、１０  下降カウンター、１１  パルス幅制御回路、１２  パルス幅制御回路、１５  スイッチ（トランスミッションゲート）、１６  スイッチ（トランスミッションゲート）、１７  スイッチ（トランスミッションゲート）、１８  スイッチ（トランスミッションゲート）、１９  制御回路、２０  制御回路、２１  バッファ回路、３０  アイドルパス、３１  アース線、４０  出力パス、４１  出力線、１２０  ソース電流源、１３０  シンク電流源、ａ  基準発振器出力、ｂ  周波数可変発振器出力、ｃ  ラスター信号、ｄ  ローカル信号、ｅ  アップ信号、ｆ  ダウン信号、ｇ  チャージポンプ出力、ｈ  アイドルパス有効化信号、ｉ  ロック検出器出力。
【図１】
2006054559.tif 000003
【図２】
2006054559.tif 000004
【図３】
2006054559.tif 000005
【図４】
2006054559.tif 000006
【図５】
2006054559.tif 000007
【図６】
2006054559.tif 000008
【図７】
2006054559.tif 000009
【図８】
2006054559.tif 000010
【図９】
2006054559.tif 000011
【図１０】
2006054559.tif 000012
【図１１】
2006054559.tif 000013
【図１２】
2006054559.tif 000014
【図１３】
2006054559.tif 000015